(57)【特許請求の範囲】
【請求項１】
ディスク媒体にアドレス情報を記録する記録装置において、
第１乃至第４のシンクユニットパターンを含む同期信号、アドレスデータ、および前記アドレスデータのエラー訂正符号を含む前記アドレス情報を発生する発生手段と、
発生された前記アドレス情報に対応してキャリア信号を周波数変調することにより周波数変調信号を生成する変調手段と、
スパイラル状であって、かつ、生成された前記周波数変調信号に対応してウォブリングさせたグルーブを前記ディスク媒体に形成する形成手段とを含み、
前記発生手段は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンの順に配置して前記同期信号を発生し、
前記変調手段は、
前記第１乃至第４のシンクユニットパターンにそれぞれ対応して生成する周波数変調信号として、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように前記周波数変調信号を生成し、
前記モノトーンビットに対応して、１つの前記シンクユニットパターンに対応する前記周波数変調信号と同じ期間だけ、前記第２の周波数の信号を前記周波数変調信号として生成する
記録装置。
【請求項２】
前記ディスク媒体は、光ディスクである
請求項１に記載の記録装置。
【請求項３】
前記変調手段は、発生された前記アドレス情報に対応して前記キャリア信号を周波数変調し、無変調部分と変調部分からなる前記周波数変調信号を生成する
請求項１に記載の記録装置。
【請求項４】
前記周波数変調信号の前記無変調部分の周波数は、前記キャリア信号の周波数と同一であり、
前記周波数変調信号の前記変調部分の周波数は、前記キャリア信号の周波数の１／２である
請求項３に記載の記録装置。
【請求項５】
前記変調手段は、
前記アドレス情報の１ビットのデータ‘‘０‘‘に対応して、前記無変調部分と前記変調部分が第１の順序で配置された前記周波数変調信号を生成し、
前記アドレス情報の１ビットのデータ‘‘１‘‘に対応して、前記無変調部分と前記変調部分が前記第１の順序とは逆の第２の順序で配置された第２のパターンの前記周波数変調信号を生成する
請求項２に記載の記録装置。
【請求項６】
ディスク媒体にアドレス情報を記録する記録装置の記録方法において、
第１乃至第４のシンクユニットパターンを含む同期信号、アドレスデータ、および前記アドレスデータのエラー訂正符号を含む前記アドレス情報を発生する発生ステップと、
発生された前記アドレス情報に対応してキャリア信号を周波数変調することにより周波数変調信号を生成する変調ステップと、
スパイラル状であって、かつ、生成された前記周波数変調信号に対応してウォブリングさせたグルーブを前記ディスク媒体に形成する形成ステップとを含み、
前記発生ステップは、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンの順に配置して前記同期信号を発生し、
前記変調ステップは、
前記第１乃至第４のシンクユニットパターンにそれぞれ対応して生成する周波数変調信号として、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように前記周波数変調信号を生成し、
前記モノトーンビットに対応して、１つの前記シンクユニットパターンに対応する前記周波数変調信号と同じ期間だけ、前記第２の周波数の信号を前記周波数変調信号として生成する
記録方法。
【請求項７】
ディスク媒体にアドレス情報を記録する記録装置の制御用のプログラムであって、
第１乃至第４のシンクユニットパターンを含む同期信号、アドレスデータ、および前記アドレスデータのエラー訂正符号を含む前記アドレス情報を発生する発生ステップと、
発生された前記アドレス情報に対応してキャリア信号を周波数変調することにより周波数変調信号を生成する変調ステップと、
スパイラル状であって、かつ、生成された前記周波数変調信号に対応してウォブリングさせたグルーブを前記ディスク媒体に形成する形成ステップとを含み、
前記発生ステップは、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンの順に配置して前記同期信号を発生し、
前記変調ステップは、
前記第１乃至第４のシンクユニットパターンにそれぞれ対応して生成する周波数変調信号として、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように前記周波数変調信号を生成し、
前記モノトーンビットに対応して、１つの前記シンクユニットパターンに対応する前記周波数変調信号と同じ期間だけ、前記第２の周波数の信号を前記周波数変調信号として生成する
処理を記録装置のコンピュータに実行させるプログラムが記録されている記録媒体。
【請求項８】
ディスク媒体にアドレス情報を記録する記録装置の制御用のプログラムであって、
第１乃至第４のシンクユニットパターンを含む同期信号、アドレスデータ、および前記アドレスデータのエラー訂正符号を含む前記アドレス情報を発生する発生ステップと、
発生された前記アドレス情報に対応してキャリア信号を周波数変調することにより周波数変調信号を生成する変調ステップと、
スパイラル状であって、かつ、生成された前記周波数変調信号に対応してウォブリングさせたグルーブを前記ディスク媒体に形成する形成ステップとを含み、
前記発生ステップは、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンの順に配置して前記同期信号を発生し、
前記変調ステップは、
前記第１乃至第４のシンクユニットパターンにそれぞれ対応して生成する周波数変調信号として、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように前記周波数変調信号を生成し、
前記モノトーンビットに対応して、１つの前記シンクユニットパターンに対応する前記周波数変調信号と同じ期間だけ、前記第２の周波数の信号を前記周波数変調信号として生成する
処理を記録装置のコンピュータに実行させるプログラム。
【請求項９】
第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、
前記同期信号は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンが順に配置されており、
前記第１乃至第４のシンクユニットパターンにそれぞれ対応する前記周波数変調信号は、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように生成されており、
前記モノトーンビットに対応する前記周波数変調信号は、１つの前記シンクユニットパターンに対応する前記周波数変調信号と同じ期間だけ、前記第２の周波数の信号からなり、
前記ディスク媒体に形成された前記グルーブの前記ウォブルに基づき、前記ディスク媒体のアドレスを再生する再生装置において、
前記ディスク媒体にレーザ光を照射する照射手段と、
照射されたレーザ光の前記ディスク媒体からの反射光を受光して、前記反射光に対応する反射光信号を生成する受光手段と、
生成された前記反射光信号に基づき、前記グルーブの前記ウォブルに対応するウォブル信号を生成する生成手段と、
生成された前記ウォブル信号から前記周波数変調信号を抽出する抽出手段と、
抽出された前記周波数変調信号の前記第１の周波数部分と前記第２の周波数部分を識別する識別手段と、
前記第１の周波数部分であると識別された前記周波数変調信号の位置に基づき、前記アドレス情報の前記同期信号に含まれる前記第１乃至第４の前記シンクユニットパターンのうちの少なくとも１つを検出する検出手段と、
前記第１および第２の周波数部分の識別結果、および検出された前記シンクユニットパターンに基づき、前記アドレス情報から前記アドレスデータおよび前記アドレスデータの前記エラー訂正符号を取得する取得手段と、
取得された前記アドレスデータおよび前記アドレスデータの前記エラー訂正符号を用いて前記アドレスを再生する再生手段と
を含む再生装置。
【請求項１０】
前記ディスク媒体は、光ディスクである
請求項９に記載の再生装置。
【請求項１１】
第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、
前記同期信号は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンが順に配置されており、
前記第１乃至第４のシンクユニットパターンにそれぞれ対応する前記周波数変調信号は、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように生成されており、
前記モノトーンビットに対応する前記周波数変調信号は、１つの前記シンクユニットパターンに対応する前記周波数変調信号と同じ期間だけ、前記第２の周波数の信号からなり、
前記ディスク媒体に形成された前記グルーブの前記ウォブルに基づき、前記ディスク媒体のアドレスを再生する再生装置の再生方法において、
前記ディスク媒体にレーザ光を照射する照射ステップと、
照射されたレーザ光の前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号から前記周波数変調信号を抽出する抽出ステップと、
抽出された前記周波数変調信号の前記第１の周波数部分と前記第２の周波数部分を識別する識別ステップと、
前記第１の周波数部分であると識別された前記周波数変調信号の位置に基づき、前記アドレス情報の前記同期信号に含まれる前記第１乃至第４の前記シンクユニットパターンのうちの少なくとも１つを検出する検出ステップと、
前記第１および第２の周波数部分の識別結果、および検出された前記シンクユニットパターンに基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む再生方法。
【請求項１２】
第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、
前記同期信号は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンが順に配置されており、
前記第１乃至第４のシンクユニットパターンにそれぞれ対応する前記周波数変調信号は、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように生成されており、
前記モノトーンビットに対応する前記周波数変調信号は、１つの前記シンクユニットパターンに対応する前記周波数変調信号と同じ期間だけ、前記第２の周波数の信号からなり、
前記ディスク媒体に形成された前記グルーブの前記ウォブルに基づき、前記ディスク媒体のアドレスを再生する再生装置の制御用のプログラムであって、
前記ディスク媒体にレーザ光を照射する照射ステップと、
照射されたレーザ光の前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号から前記周波数変調信号を抽出する抽出ステップと、
抽出された前記周波数変調信号の前記第１の周波数部分と前記第２の周波数部分を識別する識別ステップと、
前記第１の周波数部分であると識別された前記周波数変調信号の位置に基づき、前記アドレス情報の前記同期信号に含まれる前記第１乃至第４の前記シンクユニットパターンのうちの少なくとも１つを検出する検出ステップと、
前記第１および第２の周波数部分の識別結果、および検出された前記シンクユニットパターンに基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む処理を再生装置のコンピュータに実行させるプログラムが記録されている記録媒体。
【請求項１３】
第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、
前記同期信号は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンが順に配置されており、
前記第１乃至第４のシンクユニットパターンにそれぞれ対応する前記周波数変調信号は、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように生成されており、
前記モノトーンビットに対応する前記周波数変調信号は、１つの前記シンクユニットパターンに対応する前記周波数変調信号と同じ期間だけ、前記第２の周波数の信号からなり、
前記ディスク媒体に形成された前記グルーブの前記ウォブルに基づき、前記ディスク媒体のアドレスを再生するための制御用のプログラムであって、
前記ディスク媒体にレーザ光を照射する照射ステップと、
照射されたレーザ光の前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号から前記周波数変調信号を抽出する抽出ステップと、
抽出された前記周波数変調信号の前記第１の周波数部分と前記第２の周波数部分を識別する識別ステップと、
前記第１の周波数部分であると識別された前記周波数変調信号の位置に基づき、前記アドレス情報の前記同期信号に含まれる前記第１乃至第４の前記シンクユニットパターンのうちの少なくとも１つを検出する検出ステップと、
前記第１および第２の周波数部分の識別結果、および検出された前記シンクユニットパターンに基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスを再生する再生ステップと
を含む処理を再生装置のコンピュータに実行させるプログラム。
【請求項１４】
スパイラル状であって、かつ、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されており、
前記同期信号は、モノトーンビット、前記第１のシンクユニットパターン、モノトーンビット、前記第２のシンクユニットパターン、モノトーンビット、前記第３のシンクユニットパターン、モノトーンビット、および前記第４のシンクユニットパターンが順に配置されており、
前記第１乃至第４のシンクユニットパターンにそれぞれ対応する周波数変調信号は、
その先頭に第１の周波数の信号を含み、
前記第１の周波数の信号に続いて、それぞれ異なる所定の期間だけ、前記第１の周波数とは異なる第２の周波数の信号を含み、
さらに、前記第２の周波数の信号に続いて、それぞれに共通の期間だけ、前記第１の周波数の信号を含むように生成されており、
前記モノトーンビットに対応する前記周波数変調信号は、１つの前記シンクユニットパターンに対応する前記周波数変調信号と同じ期間だけ、前記第２の周波数の信号からなる
ディスク媒体。
【請求項１５】
前記ディスク媒体は、光ディスクである
請求項１４に記載のディスク媒体。
【発明の詳細な説明】
【０００１】
【発明の属する技術分野】
本発明は、記録装置および方法、再生装置および方法、記録媒体、プログラム、並びにディスク媒体に関し、特に、ディスク媒体に対して、アドレス情報をグルーブのウォブルとして記録できるようにした記録装置および方法、再生装置および方法、記録媒体、プログラム、並びにディスク媒体に関する。
【０００２】
【従来の技術】
従来、光ディスク、磁気ディスク、光磁気ディスクのようなディスク媒体には、トラッキングを行うためにスパイラル状にグルーブが形成されている。また、グルーブをアドレス情報に対応してウォブリング(wobbling)させることによってアドレス情報を記録することが知られている。
【０００３】
例えば、CD-R(Compact Disc-Recordable)やＭＤ(Mini-Disc)には、スパイラル状であって、かつ、アドレス情報に基づいてＦＭ変調されたキャリア信号（以下、ＦＭ変調信号と記述する）に対応してウォブリングされたグルーブが形成されている。
【０００４】
【発明が解決しようとする課題】
しかしながら、ＦＭ変調信号に対応してグルーブをウォブリングさせる方法では、アドレス情報を高い精度で検出することができず、ディスク媒体にデータを記録するとき、および記録されたデータを再生するときにおいて、任意のアドレスに高い精度でアクセスすることができなかった。そのため、ディスク媒体にデータを記録する際、そのデータの前後に非常に大きなリンクエリア（データを記録しない領域）を設ける必要があり、ディスク媒体の記録領域を無駄にしてしまう課題があった。
【０００５】
本発明はこのような状況に鑑みてなされたものであり、アドレス情報を正確に再生できるようにすることにより、任意のアドレスに素早く正確にアクセスできるようにすることを目的とする。
【０００６】
【課題を解決するための手段】
本発明の記録装置は、ディスク媒体にアドレス情報を記録する記録装置において、第１乃至第４のシンクユニットパターンを含む同期信号、アドレスデータ、およびアドレスデータのエラー訂正符号を含むアドレス情報を発生する発生手段と、発生されたアドレス情報に対応してキャリア信号を周波数変調することにより周波数変調信号を生成する変調手段と、スパイラル状であって、かつ、生成された周波数変調信号に対応してウォブリングさせたグルーブをディスク媒体に形成する形成手段とを含み、発生手段は、モノトーンビット、第１のシンクユニットパターン、モノトーンビット、第２のシンクユニットパターン、モノトーンビット、第３のシンクユニットパターン、モノトーンビット、および第４のシンクユニットパターンの順に配置して同期信号を発生し、変調手段は、第１乃至第４のシンクユニットパターンにそれぞれ対応して生成する周波数変調信号として、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように周波数変調信号を生成し、モノトーンビットに対応して、１つのシンクユニットパターンに対応する周波数変調信号と同じ期間だけ、第２の周波数の信号を周波数変調信号として生成する。
【０００７】
前記ディスク媒体には、光ディスクを用いることができる。
【０００８】
前記変調手段は、発生されたアドレス情報に対応してキャリア信号を周波数変調し、無変調部分と変調部分からなる周波数変調信号を生成するようにすることができる。
【０００９】
前記周波数変調信号の無変調部分の周波数は、キャリア信号の周波数と同一であり、前記周波数変調信号の変調部分の周波数は、キャリア信号の周波数の１／２であるようにすることができる。
【００１０】
前記変調手段は、アドレス情報の１ビットのデータ”０”に対応して、無変調部分と変調部分が第１の順序で配置された周波数変調信号を生成し、アドレス情報の１ビットのデータ”１”に対応して、無変調部分と変調部分が第１の順序とは逆の第２の順序で配置された第２のパターンの周波数変調信号を生成するようにすることができる。
【００１１】
本発明の記録方法は、ディスク媒体にアドレス情報を記録する記録装置の記録方法において、第１乃至第４のシンクユニットパターンを含む同期信号、アドレスデータ、およびアドレスデータのエラー訂正符号を含むアドレス情報を発生する発生ステップと、発生されたアドレス情報に対応してキャリア信号を周波数変調することにより周波数変調信号を生成する変調ステップと、スパイラル状であって、かつ、生成された周波数変調信号に対応してウォブリングさせたグルーブをディスク媒体に形成する形成ステップとを含み、発生ステップは、モノトーンビット、第１のシンクユニットパターン、モノトーンビット、第２のシンクユニットパターン、モノトーンビット、第３のシンクユニットパターン、モノトーンビット、および第４のシンクユニットパターンの順に配置して同期信号を発生し、変調ステップは、第１乃至第４のシンクユニットパターンにそれぞれ対応して生成する周波数変調信号として、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように周波数変調信号を生成し、モノトーンビットに対応して、１つのシンクユニットパターンに対応する周波数変調信号と同じ期間だけ、第２の周波数の信号を周波数変調信号として生成する。
【００１２】
本発明の第１の記録媒体は、ディスク媒体にアドレス情報を記録する記録装置の制御用のプログラムであって、第１乃至第４のシンクユニットパターンを含む同期信号、アドレスデータ、およびアドレスデータのエラー訂正符号を含むアドレス情報を発生する発生ステップと、発生されたアドレス情報に対応してキャリア信号を周波数変調することにより周波数変調信号を生成する変調ステップと、スパイラル状であって、かつ、生成された周波数変調信号に対応してウォブリングさせたグルーブをディスク媒体に形成する形成ステップとを含み、発生ステップは、モノトーンビット、第１のシンクユニットパターン、モノトーンビット、第２のシンクユニットパターン、モノトーンビット、第３のシンクユニットパターン、モノトーンビット、および第４のシンクユニットパターンの順に配置して同期信号を発生し、変調ステップは、第１乃至第４のシンクユニットパターンにそれぞれ対応して生成する周波数変調信号として、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように周波数変調信号を生成し、モノトーンビットに対応して、１つのシンクユニットパターンに対応する周波数変調信号と同じ期間だけ、第２の周波数の信号を周波数変調信号として生成する処理を記録装置のコンピュータに実行させるプログラムが記録されている。
【００１３】
本発明の第１のプログラムは、ディスク媒体にアドレス情報を記録する記録装置の制御用のプログラムであって、第１乃至第４のシンクユニットパターンを含む同期信号、アドレスデータ、およびアドレスデータのエラー訂正符号を含むアドレス情報を発生する発生ステップと、発生されたアドレス情報に対応してキャリア信号を周波数変調することにより周波数変調信号を生成する変調ステップと、スパイラル状であって、かつ、生成された周波数変調信号に対応してウォブリングさせたグルーブをディスク媒体に形成する形成ステップとを含み、発生ステップは、モノトーンビット、第１のシンクユニットパターン、モノトーンビット、第２のシンクユニットパターン、モノトーンビット、第３のシンクユニットパターン、モノトーンビット、および第４のシンクユニットパターンの順に配置して同期信号を発生し、変調ステップは、第１乃至第４のシンクユニットパターンにそれぞれ対応して生成する周波数変調信号として、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように周波数変調信号を生成し、モノトーンビットに対応して、１つのシンクユニットパターンに対応する周波数変調信号と同じ期間だけ、第２の周波数の信号を周波数変調信号として生成する処理を記録装置のコンピュータに実行させる。
【００１４】
本発明の再生装置は、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなり、ディスク媒体に形成されたグルーブのウォブルに基づき、ディスク媒体のアドレスを再生する再生装置において、ディスク媒体にレーザ光を照射する照射手段と、照射されたレーザ光のディスク媒体からの反射光を受光して、反射光に対応する反射光信号を生成する受光手段と、生成された反射光信号に基づき、グルーブのウォブルに対応するウォブル信号を生成する生成手段と、生成されたウォブル信号から周波数変調信号を抽出する抽出手段と、抽出された周波数変調信号の第１の周波数部分と第２の周波数部分を識別する識別手段と、第１の周波数部分であると識別された周波数変調信号の位置に基づき、アドレス情報の同期信号に含まれる第１乃至第４のシンクユニットパターンのうちの少なくとも１つを検出する検出手段と、第１および第２の周波数部分の識別結果、および検出されたシンクユニットパターンに基づき、アドレス情報からアドレスデータおよびアドレスデータのエラー訂正符号を取得する取得手段と、取得されたアドレスデータおよびアドレスデータのエラー訂正符号を用いてアドレスを再生する再生手段とを含む。
【００１５】
前記ディスク媒体には、光ディスクを用いることができる。
【００１６】
本発明の再生方法は、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなり、ディスク媒体に形成されたグルーブのウォブルに基づき、ディスク媒体のアドレスを再生する再生装置の再生方法において、ディスク媒体にレーザ光を照射する照射ステップと、照射されたレーザ光のディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号から周波数変調信号を抽出する抽出ステップと、抽出された周波数変調信号の第１の周波数部分と第２の周波数部分を識別する識別ステップと、第１の周波数部分であると識別された周波数変調信号の位置に基づき、アドレス情報の同期信号に含まれる第１乃至第４のシンクユニットパターンのうちの少なくとも１つを検出する検出ステップと、第１および第２の周波数部分の識別結果、および検出されたシンクユニットパターンに基づき、アドレス情報からアドレスデータおよびアドレスデータのエラー訂正符号を取得する取得ステップと、取得されたアドレスデータおよびアドレスデータのエラー訂正符号を用いてアドレスを再生する再生ステップとを含む。
【００１７】
本発明の第２の記録媒体は、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなり、ディスク媒体に形成されたグルーブのウォブルに基づき、ディスク媒体のアドレスを再生する再生装置の制御用のプログラムであって、ディスク媒体にレーザ光を照射する照射ステップと、照射されたレーザ光のディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号から周波数変調信号を抽出する抽出ステップと、抽出された周波数変調信号の第１の周波数部分と第２の周波数部分を識別する識別ステップと、第１の周波数部分であると識別された周波数変調信号の位置に基づき、アドレス情報の同期信号に含まれる第１乃至第４のシンクユニットパターンのうちの少なくとも１つを検出する検出ステップと、第１および第２の周波数部分の識別結果、および検出されたシンクユニットパターンに基づき、アドレス情報からアドレスデータおよびアドレスデータのエラー訂正符号を取得する取得ステップと、取得されたアドレスデータおよびアドレスデータのエラー訂正符号を用いてアドレスを再生する再生ステップとを含む処理を再生装置のコンピュータに実行させるプログラムが記録されている。
【００１８】
本発明の第２のプログラムは、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されているディスク媒体であって、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなり、ディスク媒体に形成されたグルーブのウォブルに基づき、ディスク媒体のアドレスを再生するための制御用のプログラムであって、ディスク媒体にレーザ光を照射する照射ステップと、照射されたレーザ光のディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号から周波数変調信号を抽出する抽出ステップと、抽出された周波数変調信号の第１の周波数部分と第２の周波数部分を識別する識別ステップと、第１の周波数部分であると識別された周波数変調信号の位置に基づき、アドレス情報の同期信号に含まれる第１乃至第４のシンクユニットパターンのうちの少なくとも１つを検出する検出ステップと、第１および第２の周波数部分の識別結果、および検出されたシンクユニットパターンに基づき、アドレス情報からアドレスデータおよびアドレスデータのエラー訂正符号を取得する取得ステップと、取得されたアドレスデータおよびアドレスデータのエラー訂正符号を用いてアドレスを再生する再生ステップとを含む処理を再生装置のコンピュータに実行させる。
【００１９】
本発明のディスク媒体は、スパイラル状であって、かつ、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されており、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなる。
【００２０】
前記ディスク媒体には、光ディスクを用いることができる。
【００２１】
本発明の記録装置および方法、並びに第１のプログラムにおいては、第１乃至第４のシンクユニットパターンを含む同期信号、アドレスデータ、およびアドレスデータのエラー訂正符号を含むアドレス情報が発生され、発生されたアドレス情報に対応してキャリア信号が周波数変調されることにより周波数変調信号が生成され、スパイラル状であって、かつ、生成された周波数変調信号に対応してウォブリングさせたグルーブがディスク媒体に形成される。なお、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置される。
【００２２】
本発明の再生装置および方法、並びに第２のプログラムにおいては、ディスク媒体からの反射光に対応する反射光信号が生成され、生成された反射光信号に基づき、グルーブのウォブルに対応するウォブル信号が生成され、生成されたウォブル信号から周波数変調信号が抽出される。また、抽出された周波数変調信号の第１の周波数部分と第２の周波数部分が識別され、第１の周波数部分であると識別された周波数変調信号の位置に基づき、アドレス情報の同期信号に含まれる第１乃至第４のシンクユニットパターンのうちの少なくとも１つが検出され、第１および第２の周波数部分の識別結果、および検出されたシンクユニットパターンに基づき、アドレス情報からアドレスデータおよびアドレスデータのエラー訂正符号が取得され、取得されたアドレスデータおよびアドレスデータのエラー訂正符号を用いてアドレスが再生される。
【００２３】
本発明のディスク媒体においては、スパイラル状であって、かつ、第１乃至第４のシンクユニットパターンを含む同期信号、アドレスデータ、およびアドレスデータのエラー訂正符号を含むアドレス情報に対応する周波数変調信号に対応してウォブリングされたグルーブが形成されており、同期信号は、モノトーンビット、第１のシンクユニットパターン、モノトーンビット、第２のシンクユニットパターン、モノトーンビット、第３のシンクユニットパターン、モノトーンビット、および第４のシンクユニットパターンが順に配置されており、第１乃至第４のシンクユニットパターンにそれぞれ対応する周波数変調信号は、その先頭に第１の周波数の信号を含み、第１の周波数の信号に続いて、それぞれ異なる所定の期間だけ、第１の周波数とは異なる第２の周波数の信号を含み、さらに、第２の周波数の信号に続いて、それぞれに共通の期間だけ、第１の周波数の信号を含むように生成されており、モノトーンビットに対応する周波数変調信号は、１つのシンクユニットパターンに対応する周波数変調信号と同じ期間だけ、第２の周波数の信号からなる。
【００２４】
【発明の実施の形態】
図１は、本発明の一実施の形態であるアドレス記録装置の構成例を示している。当該アドレス記録装置は、光ディスクの製造時において、図２に示すように、トラッキングのためにスパイラル状であって、かつ、図３に示すように、アドレス情報に対応してウォブリングさせたグルーブを光ディスクに形成するものである。
【００２５】
当該アドレス記録装置において、アドレス発生部１は、アドレスデータの位置を示すための同期信号、アドレスデータ、およびアドレスデータのエラー訂正符号から成るディジタルデータのアドレス情報を発生し、プリエンコードして変調部３に出力する。
【００２６】
キャリア信号生成部２は、アドレス情報をのせるキャリア信号を生成して変調部３に出力する。
【００２７】
変調部３は、キャリア信号生成部２から入力されるキャリア信号を、アドレス発生部１からのプリエンコードされたアドレス情報に対応して周波数偏移変調（FSK（Frequency Shift Keying）変調）し、得られるアドレス情報に対応する周波数偏移変調信号をウォブル形成部４に出力する。
【００２８】
周波数偏移変調信号のうち、図４（Ａ）に示すような、キャリア信号そのものの８ウォブル（８周期分のウォブル）からなる無変調部分は、プリエンコードされたアドレス情報のコード”０”に対応する。また、図４（Ｂ）に示すような、キャリア信号の１／２の周波数（２倍の波長）の信号の４波（キャリア信号の８ウォブルに相当する）からなる変調部分は、プリエンコードされたアドレス情報のコード”１”に対応する。なお、以下、変調部分の波数について説明するときには、相当するキャリア信号のウォブルの数も用いる。
【００２９】
例えば、図４（Ｃ）に示すような周波数偏移変調信号は、プリエンコードされたアドレス情報のコード”１００１１”に対応する。
【００３０】
ウォブル形成部４は、スパイラル状に、かつ、変調部３から入力される周波数偏移変調信号に従ってウォブリングさせたグルーブを光ディスク５に形成する。
【００３１】
なお、アドレス情報の１ビットは、図５に示すように、８４ウォブルの無変調部分からなるモノトーンビット(monotone bit)と、８４ウォブルに変調部分が含まれるADIPビット等に分類される。
【００３２】
制御部６は、ドライブ７を制御して、磁気ディスク８、光ディスク９、光磁気ディスク１０、または半導体メモリ１１に記憶されている制御用プログラムを読み出し、読み出した制御用プログラムに基づいてアドレス記録装置の全体を制御する。
【００３３】
図６は、光ディスク５の記録再生クラスタRUB(Recording Unit Block)に対応して記録されるアドレス情報の構造を示している。記録再生クラスタRUBには、２つのアドレス情報(ADIP：Address In Pre-groove)が記録される。８３ビットよりなる１つのアドレス情報は、同期信号を示す８ビットのシンクパート(SYNC)と、アドレスデータおよびそのエラー訂正符号を示す７５ビットのデータパート(Data)からなる。
【００３４】
図７は、８ビットのシンクパートの構造を示している。同図に示すように、シンクパートは、１ビットのモノトーンビットと、１ビットのシンクビット(Sync bit)からなる４個のシンクブロック”１”乃至シンクブロック”４”から構成される。
【００３５】
１ビット（８４ウォブル）のシンクビットは、図８に示すように、変調部分を含む４８ウォブルのシンクユニットと、３６ウォブルのモノトーン（無変調部分）からなる。
【００３６】
図８（Ａ）乃至（Ｄ）は、それぞれシンクブロック”１”乃至シンクブロック”４”に対応するウォブル、すなわち、周波数偏移変調信号を示している。
【００３７】
シンクブロック”１”のシンクユニットは、図８（Ａ）に示すような第１のシンクユニットパターン”０１０１１１”を示すウォブルとして形成される。シンクブロック”２”のシンクユニットは、図８（Ｂ）に示すような第２のシンクユニットパターン”０１１０１１”を示すウォブルとして形成される。シンクブロック”３”のシンクユニットは、図８（Ｃ）に示すような第３のシンクユニットパターン”０１１１０１”を示すウォブルとして形成される。シンクブロック”４”のシンクユニットは、図８（Ｄ）に示すような第４のシンクユニットパターン”０１１１１０”を示すウォブルとして形成される。
【００３８】
８ビットのシンクパートには、上述した第１乃至第４のパターンの全てが含まれることになるが、再生時においては、第１乃至第４のパターンのうちの少なくとも１つを再生することができれば、シンクパートの位置を確定できる、すなわち、アドレス情報を正確に再生することが可能となる。
【００３９】
図９は、７５ビットのデータパートの構造を示している。同図に示すように、データパートは、１ビットのモノトーンビットと、４ビットのADIPビットから成る１５個のADIPブロック”１”乃至ADIPブロック”１５”から構成されている。
【００４０】
ADIPブロックを構成する１ビットのモノトーンビットは、図１０（Ａ）に示すように、８４ウォブルの無変調部分からなる。ADIPブロックを構成する４ビットのADIPビットのうちの１ビットは、図１０（Ｂ）に示すように、第１または第２のADIPユニットパターンの変調部分を含む１６ウォブルのADIPユニットと、６８ウォブルの無変調部分からなる。
【００４１】
アドレス情報のうちのアドレスデータの１ビットのディジタルデータ”１”に相当するADIPビットのADIPユニットは、第１のADIPユニットパターン”１０”、すなわち、８ウォブルの無変調部分と４波（８ウォブル）の変調部分からなる。また、アドレス情報のうちのアドレスデータの１ビットのディジタルデータ”０”に相当するADIPビットのADIPユニットは、第２のADIPユニットパターン”１０”、すなわち、４波（８ウォブル）の変調部分と８ウォブルの無変調部分からなる。
【００４２】
図１１は、アドレスデータおよびそのエラー訂正符号を示している。２８ビット（＝７ニブル(nibble)）のアドレスデータに対して、３２ビット（＝８ニブル）のエラー訂正符号(Parity)が付加される。なお、２８ビットのアドレスデータの内訳は、２０ビットのRUB番号、２ビットのRUBアドレス番号、および２ビットの多層ディスク用の情報、および４ビットのリザーブである。エラー訂正方式は、ニブルベースのリードソロモン符号ＲＳ（１５，７，９）が用いられる。
【００４３】
次に、当該アドレス記録装置のアドレス記録処理について、図１２のフローチャートを参照して説明する。
【００４４】
ステップＳ１において、アドレス発生部１は、光ディスク５に記録する同期信号、アドレスデータ、およびアドレスデータのエラー訂正符号から成るアドレス情報を発生し、プリエンコードして変調部３に出力する。それと同時に、キャリア信号生成部２は、アドレス情報をのせるキャリア信号を生成して変調部３に出力する。
【００４５】
ステップＳ２において、変調部３は、キャリア信号生成部２から入力されたキャリア信号を、アドレス発生部１から入力されたプリエンコードされたアドレス情報で周波数偏移変調し、得られた周波数偏移変調信号をウォブル形成部４に出力する。
【００４６】
ステップＳ３において、ウォブル形成部４は、スパイラル状に、かつ、変調部３から入力された周波数偏移変調信号に従ってウォブリングさせたグルーブを光ディスク５に形成する。
【００４７】
以上説明したように、当該アドレス記録装置によるアドレス記録処理によれば、いずれか１つでも検出することができれば、同期信号の位置を特定することができる、異なる４種類のシンクユニットパターンを同期信号に含ませてアドレス情報を生成し、アドレス情報に対応する周波数偏移変調信号に対応してグルーブをウォブリングさせて光ディスク５に形成することが可能である。
【００４８】
それにより、アドレスの位置の検出精度が非常に高い光ディスク５を実現することができる。よって、データ記録領域にリンクエリアのような無駄な領域を設ける必要がなくなるので、データ記録領域を有効に利用できる光ディスク５を実現することができる。
【００４９】
次に、図１３は、上述した当該アドレス記録装置により、アドレス情報がグルーブのウォブルとして記録されている光ディスク５に対し、任意のデータを記録し、また再生する光ディスクドライブの構成例を示している。
【００５０】
当該光ディスクドライブにおいて、制御回路２１は、記録媒体２２に記録されている制御用プログラムに基づいて光ディスクドライブの各部を制御する。具体的には、ＡＶインタフェース２３を介して外部のＡＶ機器等（不図示）から入力される記録コマンドに対応して光ディスクドライブの各部を制御し、ＡＶ機器等から入力される記録データに対応するマークを光ディスク５に記録させる。また、ＡＶインタフェース２３を介して外部のＡＶ機器等から入力される再生コマンドに対応し、光ディスクドライブの各部を制御して光ディスク５に記録されているマークを読み出して記録データを再生させ、ＡＶインタフェース２３を介して外部のＡＶ機器等に出力させる。
【００５１】
スピンドル回路２４は、制御回路２１からの指令に基づいてスピンドルモータ２６の回転を制御する。サーボ回路２５は、制御回路２１から指令されるアドレスに光ピックアップ２７をシークさせるとともに、光学ヘッド回路２８から入力されるフォーカスエラー信号およびトラッキングエラー信号に基づいて、光ピックアップ２７のフォーカスサーボおよびトラッキングサーボを制御する。スピンドルモータ２６は、スピンドル回路２４からの制御に基づいて光ディスク５を回転駆動する。
【００５２】
レーザ出力系、反射光受光系、２軸アクチュエータ等よりなる光ピックアップ２７は、記録時において、光学ヘッド回路２８からの制御に基づき、光ディスク５にレーザ光を照射することによってマークを形成する。また、光ピックアップ２７は、記録再生時において、光ディスク５にレーザ光を照射し、その反射光を受光して対応する反射光信号を生成し、光学ヘッド回路２８に出力する。
【００５３】
光学ヘッド回路２８は、記録時において、記録再生回路２９から入力されるヘッダ信号、または記録補償された２値化信号に対応して光ピックアップ２７のレーザ出力を制御する。光学ヘッド回路２８は、再生時において、光ピックアップ２７からの反射光信号に基づいて、光ディスク５に記録されているエンボスピットやマークに対応するＲＦ信号を生成して記録再生回路２９に出力する。さらに、光学ヘッド回路２８は、記録再生時において、光ピックアップ２７からの反射光信号に基づいて、フォーカスエラー信号、およびトラッキングエラー信号を生成してサーボ回路２５に出力し、ｐｐ(push pull)信号を生成してウォブル回路３２に出力する。
【００５４】
記録再生回路２９は、制御回路２１からの制御に基づき、記録時において、変復調回路３０からの２値化信号を記録補償して光学ヘッド回路２８に供給する。さらに、記録再生回路２９は、再生時において、光学ヘッド回路２８からのＲＦ信号を２値化データに変換し、変復調回路３０に供給する。
【００５５】
変復調回路３０は、制御回路２１からの制御に基づき、記録時において、エラー訂正回路３１から入力されるエラー訂正符号付きの記録データを変調し、得られる２値化信号を記録再生回路２９に出力する。また、変復調回路３０は、再生時において、記録再生回路２９からの２値化信号を復調し、得られる再生データをエラー訂正回路３１に出力する。
【００５６】
エラー訂正回路３１は、制御回路２１からの制御に基づき、記録時において、ＡＶインタフェース２３を介して外部のＡＶ機器等から供給される記録データにECC(Error Correction Code)を付加して変復調回路３０に出力する。また、エラー訂正回路３１は、再生時において、変復調回路３０から入力される再生データの誤りをECCに基づいて訂正し、ＡＶインタフェース２３を介して外部のＡＶ機器等に出力する。
【００５７】
ウォブル回路３２は、光学ヘッド回路２８から入力されるｐｐ信号に基づき、グルーブのウォブルに対応するウォブル信号（ノイズなどが含まれている周波数偏移変調信号）を生成して復調し、得られるアドレス情報（同期信号、アドレスデータ、およびエラー訂正符号）をアドレスデコーダ・タイミングジェネレータ(DEC・TG)３３に出力する。
【００５８】
アドレスデコーダ・タイミングジェネレータ３３は、ウォブル回路３２から入力されるアドレス情報から、シンクパートに含まれる４種類のシンクユニットパターンのうち、少なくとも１つを検出することによってシンクパートの位置を検知し、それに続くデータパートのアドレスデータおよびそのエラー訂正符号を用いてアドレスを生成し、制御回路２１に出力する。また、アドレスデコーダ・タイミングジェネレータ３３は、検知したシンクパートに基づいてタイミング信号を生成し、制御回路２１を介して光ディスクドライブの各回路に供給する。
【００５９】
図１４は、ウォブル回路３２のウォブル信号を復調してアドレス情報を復元する処理に関わる部分の構成例を示している。
【００６０】
ウォブル回路３２において、ｐｐ信号から生成されたウォブル信号は、バンドパスフィルタ(BFP)４４，４３に供給される。バンドパスフィルタ４１では、ウォブル信号からキャリア信号の周波数成分だけが抽出されてPLL(Phase Locked Loop)部４２に供給される。PLL部４２では、バンドパスフィルタ４１から供給されたキャリア信号に基づいてクロック信号が調整されて発振され、変調部分検出部４４に供給される。
【００６１】
一方、バンドパスフィルタ４３では、ウォブル信号からノイズ成分が除去され、キャリア信号の周波数成分とその１／２周波数成分（変調部分）だけが、すなわち、周波数偏移変調信号が変調部分検出部４４に供給される。
【００６２】
変調部分検出部４４では、PLL部４２からのクロック信号に基づき、バンドパスフィルタ４３から供給された周波数偏移変調信号の変調部分と無変調部分が識別されて、その識別結果に基づいてアドレス情報が復元される。
【００６３】
なお、周波数偏移変調信号の無変調部分の周波数は、変調部分の１／２の周波数であるから、変調部分の波形のエッジは、無変調部分のエッジと一致する。したがって、周波数偏移変調信号の無変調部分をフェーズエラーに用いるようにすれば、PLL４２の操作がより安定したものとなる。
【００６４】
以上説明したように、当該光ディスクドライブによれば、シンクパートに含まれる４種類のシンクユニットパターンのうち、少なくとも１つを検出することによってシンクパートの位置を検知することができる。これにより、シンクパートに続くデータパートのアドレスデータおよびそのエラー訂正符号を取得することができ、それらを用いてアドレスを生成することができるので、記録再生時のアドレスエラーレートを改善することができ、かつ、光ディスク５の任意のアドレスに素早く正確にアクセスすることができるようになる。
【００６５】
なお、本発明は、光ディスク５だけでなく、あらゆる種類のディスク媒体にアドレス情報を記録し、それを再生する場合に適用することが可能である。
【００６６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６７】
この記録媒体は、図１に示すように、コンピュータとは別に、ユーザにプログラムを提供するために配布される、プログラムが記録されている磁気ディスク８（フロッピディスクを含む）、光ディスク９（CD-ROM(Compact Disc-Read Only Memory)、DVD(Digital Versatile Disc)を含む）、光磁気ディスク１０（ＭＤ(Mini Disc)を含む）、もしくは半導体メモリ１１などよりなるパッケージメディアにより構成されるだけでなく、コンピュータに予め組み込まれた状態でユーザに提供される、プログラムが記録されているROMやハードディスクなどで構成される。
【００６８】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６９】
【発明の効果】
以上のように、本発明の記録装置および方法、並びに第１のプログラムによれば、同期信号の位置を正確に検知できるようなアドレス情報をディスク媒体に記録することが可能となる。
【００７０】
また、本発明の再生装置および方法、並びに第２のプログラムによれば、任意のアドレスに素早く正確にアクセスすることが可能となる。
【００７１】
さらに、本発明のディスク媒体によれば、任意のアドレスに素早く正確にアクセスすることが可能となる。
【図面の簡単な説明】
【図１】本発明の一実施の形態であるアドレス記録装置の構成例を示すブロック図である。
【図２】スパイラル状に形成されるグルーブについて説明するための図である。
【図３】グルーブのウォブルについて説明するための図である。
【図４】周波数偏移変調信号の無変調部分と変調部分を説明するための図である。
【図５】モノトーンビットとADIPビットを示す図である。
【図６】記録再生クラスタRUBに対応するアドレス情報(ADIP)の構造を示す図である。
【図７】８ビットのシンクパートの構造を示す図である。
【図８】シンクパートに含まれる４種類のシンクユニットパターンを示す図である。
【図９】７５ビットのデータパートの構造を示す図である。
【図１０】２種類のADIPユニットパターンを示す図である。
【図１１】アドレスデータのエラー訂正符号について説明するための図である。
【図１２】アドレス記録装置のアドレス記録処理を説明するフローチャートである。
【図１３】光ディスク５からアドレス情報を再生する光ディスクドライブの構成例を示すブロック図である。
【図１４】ウォブル回路３２の構成例を示すブロック図である。
【符号の説明】
１  アドレス発生部，  ２  キャリア信号生成部，  ３  変調部，  ４  ウォブル形成部，  ５  光ディスク，  ６  制御部，  ７  ドライブ，  ８  磁気ディスク，  ９  光ディスク，  １０  光磁気ディスク，  １１  半導体メモリ，２１  制御回路，  ２２  記録媒体，  ３２  ウォブル回路，  ４１  バンドパスフィルタ，  ４２  PLL部，  ４３  バンドパスフィルタ，  ４４  変調部分検出部
【図１】
0004496454.tif 000002
【図２】
0004496454.tif 000003
【図３】
0004496454.tif 000004
【図４】
0004496454.tif 000005
【図５】
0004496454.tif 000006
【図６】
0004496454.tif 000007
【図７】
0004496454.tif 000008
【図８】
0004496454.tif 000009
【図９】
0004496454.tif 000010
【図１０】
0004496454.tif 000011
【図１１】
0004496454.tif 000012
【図１２】
0004496454.tif 000013
【図１３】
0004496454.tif 000014
【図１４】
0004496454.tif 000015